(57)【要約】【課題】断熱性能に優れ、グレードの高い石貼り仕上げを超高層建物にも支障なく適用可能な外断熱構造の外壁を容易に施工でき、外観やデザイン上の制約を受けることもない有効な外装パネルを提供する。【解決手段】建物の外壁を構成するための外装パネル１であって、パネル本体としてのＰＣ板２の外面側に、予め外装仕上げ材としての石材３をアンカー金物６により取り付け、それらＰＣ板と石材との間に断熱材４を積層しておく。アンカー金物としては、先端部が外装仕上げ材に打ち込まれ、基端部に定着部材が螺着されるボルトアンカーを採用する。ボルトアンカーの先端部が打ち込まれる下穴とボルトアンカーとの間の隙間をシーリング材により防水・防湿処理する。外装仕上げ材間の目地に乾式のガスケット７を介装する。【選択図】　　　図１
2004132083.tif 000002
【特許請求の範囲】
【請求項１】
建物の外壁を構成するための外装パネルであって、パネル本体としてのＰＣ板の外面側に予め外装仕上げ材が取り付けられているとともに、それらＰＣ板と外装仕上げ材との間に断熱材が積層され、外装仕上げ材としては石材が採用されてその石材がＰＣ板に対してアンカー金物により定着されていることを特徴とする外装パネル。
【請求項２】
アンカー金物として、先端部が外装仕上げ材に打ち込まれ、基端部に定着部材が螺着されるボルトアンカーが採用されていることを特徴とする請求項１記載の外装パネル。
【請求項３】
石材に設けた下穴にボルトアンカーの先端部が打ち込まれ、その下穴とボルトアンカーとの間の隙間がシーリング材により防水・防湿処理されていることを特徴とする請求項２記載の外装パネル。
【請求項４】
外装仕上げ材間の目地にガスケットが介装されていることを特徴とする請求項１，２または３記載の外装パネル。
【発明の詳細な説明】
【０００１】
【発明の属する技術分野】
本発明は建物の外壁を構成するための外装パネル、特にいわゆる外断熱構造の外壁を施工する際に採用して好適な外装パネルに関する。
【０００２】
【従来の技術】
建物の外壁に対して断熱を行う場合、従来一般には躯体の内側に断熱材を取り付けるいわゆる内断熱構造とすることが通常であったが、内断熱構造では断熱材と躯体との間において内部結露が生じることがあるので、断熱材の剥離、ダニやカビの発生等が問題となる場合がある。そのため、最近においては断熱材を躯体の外側に取り付ける外断熱構造が着目されており、広く普及する気運にある。
【０００３】
従来の外断熱構造の外壁は、躯体を施工した後にその外側にあらためて断熱材を貼り付けたり吹き付ける構造のものが主流であるが、そのような構造では主に大規模建築物や超高層建物の場合には施工性に難があるばかりでなく、外装材を含めた耐震性、耐風性に対する品質を充分に確保できず、断熱材に雨水がしみ込むようなことを確実に防止する必要があるので石貼りの高級な外装仕上げ材の採用や目地割等の意匠が制約されるものである。そのため、たとえば特公平４−２３０５５号公報に示されるように、外壁用のＰＣ板あるいはＰＣ型枠の外面側に外装仕上げ材を兼ねる断熱材を予め打ち込んだ外断熱外装パネルも提案されている。
【０００４】
【特許文献１】
特公平４−２３０５５号公報
【０００５】
【発明が解決しようとする課題】
しかし、上記公報に示される外断熱外装パネルは、断熱材が外装仕上げ材を兼ねることから、その素材としては気泡セラミックスや気泡コンクリートに限定されるものであるし、その表面にはセラミックスコーティングを施す必要もあり、したがって外壁のデザインや外観が制約されるばかりでなく、そのようなコンクリート系の断熱材では必ずしも充分な断熱性能が得られず、広く普及するに至っていない。
【０００６】
上記事情に鑑み、本発明は断熱性能に優れた外断熱構造の外壁を容易に施工でき、外観やデザイン上の制約を受けることもない有効な外装パネルを提供することを目的とする。
【０００７】
【課題を解決するための手段】
請求項１の発明は、建物の外壁を構成するための外装パネルであって、パネル本体としてのＰＣ板の外面側に予め外装仕上げ材が取り付けられているとともに、それらＰＣ板と外装仕上げ材との間に断熱材が積層され、外装仕上げ材としては石材が採用されてその石材がＰＣ板に対してアンカー金物により定着されていることを特徴とする。
【０００８】
請求項２の発明は、請求項１の発明の外装パネルであって、アンカー金物として、先端部が外装仕上げ材に打ち込まれ、基端部に定着部材が螺着されるボルトアンカーが採用されていることを特徴とする。
【０００９】
請求項３の発明は、請求項２の発明の外装パネルであって、石材に設けた下穴にボルトアンカーの先端部が打ち込まれ、その下穴とボルトアンカーとの間の隙間がシーリング材により防水・防湿処理されていることを特徴とする。
【００１０】
請求項４の発明は、請求項１，２または３の発明の外装パネルにおいて、外装仕上げ材間の目地にガスケットが介装されていることを特徴とする。
【００１１】
【発明の実施の形態】
図１〜図４は本発明の外装パネルの実施形態を示すものである。本実施形態の外装パネル１は、パネル本体としてのＰＣ板２（プレキャストコンクリート版）の外面側に、予め外装仕上げ材としての石材３が一体に取り付けられているとともに、それらＰＣ板２と石材３の間に断熱材４が予め積層された構造のいわゆるサンドイッチパネルであって、この外装パネル１を建物の外周部に取り付けることのみで外断熱構造の外壁を形成できるものである。
【００１２】
この外装パネル１におけるＰＣ板２は、これ自体が従来一般の外壁用ＰＣ板と同様に外壁の主体をなすもので、鉄筋５が格子状に数段（図示例のものは２段）にわたって配筋されている。外装仕上げ材としての石材３は本例では６００ｍｍ×６００ｍｍ程度の正方形状のものが採用され、アンカー金物６によりＰＣ板２に対して確実強固に一体化されたものとなっている。断熱材４としては各種のものが採用可能であるが、たとえばウレタンフォーム吹き付けによるものや、ウレタンフォームボード貼りによるもの、ポリスチレンフォームボード貼りによるもの等が好適に採用可能である。
【００１３】
アンカー金物６は、図３（ａ）に示すように、先端部にテーパ状の頭部６ａを有するボルト本体６ｂに割りスリーブ６ｃを装着しておき、その割りスリーブ６ｃを頭部６ａに対して打ち込むことでそれを拡径して石材３に対して食い込ませる構成のボルトアンカーが採用されている。そして、ボルト本体６ｂの基端部にはダブルナット６ｄを螺着しておき、それを定着部材としてＰＣ板２に埋設することで石材３をＰＣ板２に対して確実強固に取り付けることができるものとなっている。なお、定着部材としては、ダブルナット６ｄに代えて、たとえば図４（ａ）に示すように雌ねじを形成した定着プレート６ｅをボルト本体６ｂに直接的に螺着したり、（ｂ）に示すように定着プレート６ｆを両面側からナット６ｇにより狭持したり、（ｃ）に示すようにボルト本体６ｂにインサート金物６ｈを螺着する等、適宜のものが採用可能である。また、アンカー金物６としては、石材３をＰＣ板２に対して確実に取り付けることのできるものであれば、上記のボルトアンカーに代えて他の構成のものも採用可能である。
【００１４】
また、図２に示すように、石材３間の目地にはガスケット７が介装されている。図示例のガスケット７は、石材３の裏面に密着して二次シーリング材８により固着せしめられる頭部７ａと、石材３の小口面に対して押圧状態で密着せしめられる３段の舌片７ｂを有するもので、このガスケット７のみで優れた止水性能を長期にわたって維持し得るものである。なお、ガスケット７の素材としては、たとえばクロロプレン（ＣＲ）、クロロスルホン化ポリエチレン（ＣＳＭ）、エチレンプロピレンジエンモノマー（ＥＰＤＭ）、シリコーン（ＳＲ）等が好適に採用可能である。
【００１５】
上記の外装パネル１を製造するには、まず石材３の裏面側に図３（ｂ）〜（ｅ）に示すようにアンカー金物（ボルトアンカー）６を打ち込む。すなわち、まず（ｂ）に示すように石材３の裏面側にドリルにより下穴９を穿孔し、（ｃ）に示すように吸塵機やダストポンプを用いて下穴９内の切粉を除去した後、（ｄ）に示すようにアンカー金物６の先端部を下穴９に挿入し、打ち込み治具１０を用いて割りスリーブ６ｃを打ち込むことで、（ｅ）に示すように割りスリーブ６ｃを頭部６ａにより拡径して下穴９に食い込ませ、ボルト本体６ｂの基端部に定着部材としてのダブルナット６ｄを螺着する。ボルト本体６ｂと下穴９との隙間をシーリング材１１により塞いで水密・気密的に防水・防湿処理を施すことにより、石厚が薄くなるアンカー部における石材３の濡れ色や変色等の故障を確実に防止することができる。
【００１６】
上記のようにアンカー金物６を取り付けた石材３を、ＰＣ板２を成型するための型枠の内側に並べて敷き込み、それら石材３間にガスケット７を装着して二次シーリング材８により固着する。なお、図２に示すように石材３の裏面には予め裏面処理材１２を塗布しておくと良い。そして、石材３上に吹き付けあるいはボード貼り付け等により所定厚みの断熱材４を形成するが、その際にはアンカー金物６の基端部を断熱材４より突出せしめておく。しかる後に、型枠内に鉄筋５をセットし、コンクリートを打設してＰＣ板２を成型し、所定の養生期間を経て型枠を解体すれば、アンカー金物６の基端部が自ずとＰＣ板２に対して定着されて外装パネル１の完成となる。なお、この外装パネル１の形状や各部の寸法は任意であって適宜設計すれば良いが、たとえばＰＣ板２の厚さは１７０ｍｍ程度、断熱材４の厚さは３０ｍｍ程度、外装仕上げ材としての石材３の厚さは３０ｍｍ程度、したがって全体の厚さは２３０ｍｍ程度とすることが一般的である。
【００１７】
上記の外装パネル１は、これを建物に取り付けることのみで外壁の躯体と外装仕上げ材と断熱材の施工が自ずとなされるので、従来のように外壁を施工した後にあらためて行っていた断熱材の取り付け作業や外装仕上げ作業を省略でき、外断熱構造の外壁の施工を極めて簡便に実施することができ、工期短縮と工数削減に大きく寄与し得るものである。
【００１８】
特に、上記の外装パネル１は、ＰＣ工場において効率的にかつ精度良く製造可能であるし、汎用の断熱材４と汎用の石材３、汎用のアンカー金物６を用いて所定規格で大量生産することで充分に安価なものとすることが可能であり、また断熱材４の素材やその厚みを任意に設定することで所望の断熱性能を確保することができるものである。
【００１９】
また、外装仕上げ材として従来より採用されている様々な意匠、形状、寸法の石材３をそのまま採用可能であるので、上述したように断熱材と外装仕上げ材を兼用している従来の外断熱外装パネルのように外壁のデザインや外観が制約を受けることもなく、設計上の自由度を高めることができ、グレードの高い石貼り仕上げを超高層建物にも支障なく適用することが可能である。
【００２０】
また、石材３に打ち込まれたアンカー金物６の先端部に対してシーリング材１１により防水・防湿処理を施すことにより、石厚が薄くなるアンカー部における石材３の濡れ色や変色等の故障を確実に防止することができる。
【００２１】
さらに、石材３間の目地における止水性能は、ガスケット７により充分に確保でき長期にわたって維持できることはもとより、そのようなガスケット７の採用により、目地部にシーリング材を充填する従来一般の湿式シーリング工法による場合に較べてコスト的にも有利である。特に、湿式シーリング工法による場合にはＰＣ板２を成型した後にそれを反転させて目地部に対して一次シーリングを行う必要があるが、上記のガスケット７を採用することでそのような面倒な作業は一切不要である。
【００２２】
【発明の効果】
請求項１の発明の外装パネルは、パネル本体としてのＰＣ板の外面側に、外装仕上げ材としての石材をアンカー金物によりＰＣ板に取り付け、それらＰＣ板と石材との間に断熱材を積層した構成であるから、充分な断熱性能を有することはもとより、ＰＣ工場において効率的にかつ精度良くしかも充分に安価に製造可能であり、外壁のデザインや外観が制約を受けることもなく、外装仕上げ材を含めた耐震性、耐風性に対する品質を充分に確保することができ、これを採用することで優れた断熱性能を有するばかりでなくグレードの高い石貼り仕上げの外断熱構造の外壁を極めて簡便に施工することができ、工期短縮と工数削減に大きく寄与でき、大規模建築物や超高層建物の施工にも支障なく適用できる。
【００２３】
請求項２の発明は、アンカー金物として、先端部が外装仕上げ材に打ち込まれ、基端部に定着部材が螺着されるボルトアンカーを採用したので、ＰＣ板に対して石材を容易にかつ確実強固に取り付けることができる。
【００２４】
請求項３の発明は、アンカー金物としてのボルトアンカーの先端部が打ち込まれた下穴とボルトアンカーとの間の隙間がシーリング材により防水・防湿処理されているので、石厚が薄くなるアンカー部における石材の濡れ色や変色等の故障を確実に防止することができる。
【００２５】
請求項４の発明は、外装仕上げ材間の目地に止水性を確保するためのガスケットを介装しているので、断熱材に雨水がしみ込むようなことを確実に防止できて優れた止水性能を長期にわたって維持できるし、従来一般の湿式シーリング工法による場合に較べて外装パネルをより容易に製造でき、コスト的にも有利である。
【図面の簡単な説明】
【図１】本発明の実施形態である外装パネルの断面図である。
【図２】同、目地部の拡大図である。
【図３】同、アンカー金物およびその施工手順を示す図である。
【図４】同、アンカー金物の他の例を示す図である。
【符号の説明】
１　外装パネル
２　ＰＣ板（パネル本体）
３　石材（外装仕上げ材）
４　断熱材
５　鉄筋
６　アンカー金物（ボルトアンカー）
６ａ　頭部
６ｂ　ボルト本体
６ｃ　割りスリーブ
６ｄ　ダブルナット（定着部材）
６ｅ　定着プレート（定着部材）
６ｆ　定着プレート（定着部材）
６ｇ　ナット
６ｈ　インサート金物（定着部材）
７　ガスケット
７ａ　頭部
７ｂ　舌片
８　二次シーリング材
９　下穴
１０　打ち込み治具
１１　シーリング材
１２　裏面処理材
【図１】
2004132083.tif 000003
【図２】
2004132083.tif 000004
【図３】
2004132083.tif 000005
【図４】
2004132083.tif 000006